(57)【特許請求の範囲】
【請求項１】
光が入射される回転ホイールを有する駆動装置と連結される連結部材と、
前記連結部材の位置を前記光の入射方向に沿って調整する位置調整部と、を備え、
前記位置調整部は、
前記入射方向に延びる貫通孔を有し、当該貫通孔に前記連結部材の少なくとも一部を前記入射方向にスライド可能に収容する固定筒体と、
前記入射方向に沿う前記連結部材の移動を規制する固定部材と、を有し、
前記連結部材は、前記連結部材の移動に対する前記固定部材の規制が解除されることによって、前記入射方向における位置を再調整可能に構成されていることを特徴とする位置調整装置。
【請求項２】
請求項１に記載の位置調整装置において、
前記位置調整部は、
前記固定筒体の周囲に設けられ、当該固定筒体の側面に沿って回転する回転筒体と、
前記連結部材の径方向外側に突設されたピンと、
前記固定筒体の側面に形成され、前記入射方向に沿う方向に延び、前記ピンが挿入され、当該ピンの移動をガイドする第１ガイド孔と、
前記回転筒体の側面に形成され、前記入射方向に対して傾斜する方向に延び、前記ピンが挿入され、当該ピンの移動をガイドする第２ガイド孔と、
前記連結部材の端部に設けられた突出部を囲み、前記固定筒体に螺合する第１ねじと、
前記固定筒体を貫通して前記突出部に螺合する第２ねじと、を備え、
前記第１ねじの先端は、前記連結部材に当接していることを特徴とする位置調整装置。
【請求項３】
請求項２に記載の位置調整装置において、
前記回転筒体は、当該回転筒体を回転させるレバーを有することを特徴とする位置調整装置。
【請求項４】
請求項３に記載の位置調整装置において、
前記固定筒体は、前記入射方向とは反対方向側に前記回転筒体の回転方向に沿う形状の第１開口部を有し、当該固定筒体の径方向外側に広がる拡径部を備え、
前記レバーの一部は、前記第１開口部に挿通することを特徴とする位置調整装置。
【請求項５】
請求項４に記載の位置調整装置において、
前記レバーの移動を規制する規制部を有することを特徴とする位置調整装置。
【請求項６】
請求項２から請求項５のいずれか一項に記載の位置調整装置において、
前記第１ねじ及び前記第２ねじは、同軸上に設けられ、
前記第２ねじは、前記入射方向とは反対方向側から見て、前記第１ねじを覆う形状であることを特徴とする位置調整装置。
【請求項７】
請求項１に記載の位置調整装置において、
前記位置調整部は、
前記連結部材の径方向外側に突設されたピンと、
前記固定筒体の側面に形成され、前記入射方向に沿う方向に延び、前記ピンが挿入され、当該ピンの移動をガイドするガイド孔と、
前記固定筒体の前記入射方向とは反対方向側に位置する側面部と、
前記側面部に当接する頭部及び前記連結部材の螺合部に螺合する軸部を有するねじと、
前記連結部材と前記側面部との間に配置され、前記連結部材を前記ねじの挿入方向に付勢する付勢部材と、を備えることを特徴とする位置調整装置。
【請求項８】
請求項７に記載の位置調整装置において、
前記付勢部材は、コイルばねであり、
前記コイルばねは、前記ねじを囲むように配置されていることを特徴とする位置調整装置。
【請求項９】
請求項１から請求項８のいずれか一項に記載の位置調整装置と、
前記回転ホイールの光入射側に設けられ、入射された前記光の波長を変換する波長変換層と、を備えることを特徴とする波長変換装置。
【請求項１０】
請求項１から請求項８のいずれか一項に記載の位置調整装置と、
前記回転ホイールの光入射側に設けられ、入射された前記光を拡散反射させる拡散反射層と、を備えることを特徴とする拡散反射装置。
【請求項１１】
光源と、
請求項９に記載の波長変換装置及び請求項１０に記載の拡散反射装置の少なくとも一方と、を備えることを特徴とする光源装置。
【請求項１２】
光源と、
請求項９に記載の波長変換装置と、
請求項１０に記載の拡散反射装置と、
前記波長変換装置及び前記拡散反射装置のそれぞれから出射された光を合成して出射させる光合成装置と、
前記光源、前記波長変換装置、前記拡散反射装置及び前記光合成装置を収容する筐体と、を備え、
前記波長変換装置及び前記拡散反射装置のそれぞれに設けられる前記位置調整装置の少なくとも一部は、前記筐体外に露出していることを特徴とする光源装置。
【請求項１３】
請求項１１又は請求項１２に記載の光源装置と、
前記光源装置から出射された光を変調させる光変調装置と、
前記光変調装置により変調された光を投射する投射光学装置と、を備えることを特徴とするプロジェクター。
【発明の詳細な説明】
【技術分野】
【０００１】
本発明は、位置調整装置、波長変換装置、拡散反射装置、光源装置及びプロジェクターに関する。
【背景技術】
【０００２】
従来、励起光を出射する固体光源と、当該励起光により励起されて蛍光を出射する波長変換素子と、を有する照明装置を備えたプロジェクターが知られている（例えば、特許文献１参照）。
具体的に、特許文献１に記載のプロジェクターは、アレイ光源、コリメーター光学系、アフォーカル光学系、第１の位相差板、ホモジナイザー光学系、プリズム、第１のピックアップ光学系、発光素子（波長変換装置）、第２の位相差板、第２のピックアップ光学系、拡散反射素子、インテグレーター光学系、偏光変換素子及び重畳光学系を有する照明装置を備えている。これらのうち、アレイ光源、コリメーター光学系、アフォーカル光学系、第１の位相差板、ホモジナイザー光学系、プリズム、第２の位相差板、第２のピックアップ光学系及び拡散反射素子は、第１の光軸上に位置し、プリズム、第１のピックアップ光学系、発光素子（波長変換素子）、インテグレーター光学系、偏光変換素子及び重畳光学系は、第１の光軸に直交する第２の光軸上に位置する。そして、プリズムは、第１の光軸と第２の光軸とが交差する部位に配置されている。
【０００３】
アレイ光源は、固体光源である複数の半導体レーザーがアレイ状に並んだ構成を有し、当該アレイ光源から出射されたレーザー光であるＳ偏光の青色光は、コリメーター光学系により平行光束に変換され、アフォーカル光学系によって光束径が調整される。この青色光の偏光軸は、当該青色光が１／２波長板である第１の位相差板を通過することによって回転され、Ｓ偏光である青色光の一部がＰ偏光に変換される。
【０００４】
上記青色光に含まれるＳ偏光及びＰ偏光のうち、Ｓ偏光は、プリズムの偏光分離素子にて反射され、Ｐ偏光は、偏光分離素子を透過する。
反射されたＳ偏光は、第１のピックアップ光学系を介して発光素子の蛍光体層に励起光として入射され、これにより、黄色の蛍光が生成される。この蛍光は、偏光方向が揃っていない非偏光光であり、非偏光状態のまま第１のピックアップ光学系及び偏光分離素子を透過し、インテグレーター光学系に入射される。
一方、偏光分離素子を透過した青色光のＰ偏光は、第２の位相差板を通過して円偏光に変換され、第２のピックアップ光学系を介して拡散反射素子（拡散反射装置）にて拡散反射される。この青色光は、第２のピックアップ光学系及び第２の位相差板に再度入射されてＳ偏光に変換され、上記偏光分離素子にて反射されて、インテグレーター光学系に入射される。
【０００５】
インテグレーター光学系は、複数の第１レンズを有する第１レンズアレイと、複数の第１レンズに対応する複数の第２レンズを有する第２レンズアレイとを有し、上記青色光及び上記蛍光を含む照明光を複数の部分光束に分割し、重畳光学系とともに、被照明領域である光変調装置に重畳する。これらインテグレーター光学系及び重畳光学系の間には、偏光変換素子が配置され、これにより偏光方向が揃えられる。
そして、各光変調装置によって変調された各色光（画像光）は、合成光学系によって合成された後、投射光学装置によってスクリーンに拡大投射される。
【先行技術文献】
【特許文献】
【０００６】
【特許文献１】特開２０１５−１０６１３０号公報
【発明の概要】
【発明が解決しようとする課題】
【０００７】
上記特許文献１に記載の照明装置では、波長変換装置にて生じた蛍光と、拡散反射装置によって拡散反射された青色光とを、偏光分離素子にて合成して、インテグレーター光学系に出射する構成である。このため、当該蛍光及び青色光の光束径を合わせる必要があるため、これら波長変換装置及び拡散反射装置は、当該波長変換装置及び拡散反射装置に入射される光の光軸に沿って治具等により移動され、所望の位置にて接着剤等により固定される。
しかしながら、上記特許文献１に記載の照明装置では、上記波長変換装置及び拡散反射装置等に設けられた波長変換層及び拡散反射層等が設けられた回転ホイールが所望の位置にて接着剤等により固定されるので、当該波長変換装置及び拡散反射装置の位置が固定された後に、上記回転ホイールの位置を再調整できないという課題がある。
【０００８】
本発明は、上記課題の少なくとも１つを解決することを目的とするものであり、回転ホイールの位置を再調整できる位置調整装置、波長変換装置、拡散反射装置、光源装置及びプロジェクターを提供することを目的とする。
【課題を解決するための手段】
【０００９】
本発明の第１態様に係る位置調整装置は、光が入射される回転ホイールを有する駆動装置と連結される連結部材と、所定の位置に固定され、前記連結部材の位置を前記光の入射方向に沿って調整する位置調整部と、を備え、前記位置調整部は、前記連結部材の位置を調整した後に、当該連結部材の位置を再調整可能に構成されていることを特徴とする。
【００１０】
上記第１態様によれば、回転ホイールを有する駆動装置に連結される連結部材の位置調整を行う位置調整部が、当該連結部材の位置を再調整可能に構成されているので、例えば、上記位置調整部により連結部材の位置が調整された後に、接着剤等により固定される場合に比べて、リユース性及びリワーク性を向上できる。
【００１１】
上記第１態様では、前記位置調整部は、前記光の入射方向に延びる貫通孔を有し、当該貫通孔に前記連結部材の少なくとも一部を前記入射方向にスライド可能に収容する固定筒体と、前記固定筒体の周囲に設けられ、当該固定筒体の側面に沿って回転する回転筒体と、前記連結部材の径方向外側に突設されたピンと、前記固定筒体の側面に形成され、前記入射方向に沿う方向に延び、前記ピンが挿入され、当該ピンの移動をガイドする第１ガイド孔と、前記回転筒体の側面に形成され、前記入射方向に対して傾斜する方向に延び、前記ピンが挿入され、当該ピンの移動をガイドする第２ガイド孔と、前記連結部材の端部に設けられた突出部を囲み、前記固定筒体に螺合する第１ねじと、前記固定筒体を貫通して前記突出部に螺合する第２ねじと、を備え、前記第１ねじの先端は、前記連結部材に当接していることが好ましい。
【００１２】
上記第１態様では、回転筒体が回動した場合であっても、連結部材に突設されたピンが固定筒体の第１ガイド孔により、当該ピンの第２ガイド孔に沿う方向への移動が規制されている。このため、ピンは、回転ホイールに入射される光の入射方向に沿って延びる第１ガイド孔の延出方向に沿って移動する。これにより、ピンが突設された連結部材が上記入射方向に沿って移動するので、当該連結部材に連結された駆動装置、ひいては、駆動装置が有する回転ホイールを上記入射方向に沿って移動させることができる。これにより、回転ホイールに入射される光の光束径を調整できる。
また、第１ねじが連結部材の端部に設けられた突出部を囲み、固定筒体に螺合し、当該第１ねじの先端が連結部材に当接しているので、当該第１ねじにより連結部材を付勢しつつ、当該連結部材及び固定筒体を強固に固定できる。更に、第２ねじが固定筒体を貫通して突出部に螺合しているので、連結部材を固定筒体側に付勢できる。
これによれば、第１ねじが連結部材を回転ホイール側に付勢し、第２ねじが連結部材を固定筒体側に付勢するので、連結部材及び固定筒体を強固に固定できる。従って、固定筒体及び連結部材間にて発生するがたつきを抑制できる。また、これら第１ねじ及び第２ねじにより固定筒体及び連結部材が固定されるので、位置調整部により連結部材の位置が調整された後に、当該連結部材及び固定筒体が接着剤等により固定される場合に比べて、リユース性及びリワーク性をより向上できる。
【００１３】
上記第１態様では、前記回転筒体は、当該回転筒体を回転させるレバーを有することが好ましい。
上記第１態様によれば、回転筒体が当該回転筒体を回転させるレバーを有しているので、ユーザーは当該レバーを操作することにより、容易に回転筒体を回転させることができる。従って、連結部材、ひいては、連結部材が連結される回転ホイールの位置を容易に調整できる。
【００１４】
上記第１態様では、前記固定筒体は、前記入射方向とは反対方向側に前記回転筒体の回転方向に沿う形状の第１開口部を有し、当該固定筒体の径方向外側に広がる拡径部を備え、前記レバーの一部は、前記第１開口部に挿通することが好ましい。
上記第１態様によれば、固定筒体の径方向外側に広がる拡径部に形成された第１開口部にレバーの一部が挿通されているので、レバーの回動範囲が第１開口部の範囲に限定できる。従って、適切な範囲で回転ホイールの位置を調整できる。
【００１５】
上記第１態様では、前記レバーの移動を規制する規制部を有することが好ましい。
上記第１態様によれば、レバーの移動を規制する規制部を備えているので、回転ホイールの位置調整が実行された後に、当該レバーの移動を規制できる。従って、回転ホイールの位置を良好に保つことができる。
【００１６】
上記第１態様では、前記第１ねじ及び前記第２ねじは、同軸上に設けられ、前記第２ねじは、前記入射方向とは反対方向側から見て、前記第１ねじを覆う形状であることが好ましい。
上記第１態様によれば、第１ねじ及び第２ねじが同軸上に設けられているので、第１ねじ及び第２ねじが離れた位置に配置されている場合に比べて、連結部材及び固定筒体を確実に固定することができる。
また、第２ねじが第１ねじを覆う形状であることから、第１ねじが誤って回動させられる可能性を低減できる。更に、第１ねじに塵埃が付着する可能性を低減できる。
【００１７】
上記第１態様では、前記位置調整部は、前記光の入射方向に延びる貫通孔を有し、当該貫通孔に前記連結部材の少なくとも一部を前記入射方向にスライド可能に収容する固定筒体と、前記連結部材の径方向外側に突設されたピンと、前記固定筒体の側面に形成され、前記入射方向に沿う方向に延び、前記ピンが挿入され、当該ピンの移動をガイドするガイド孔と、前記固定筒体の前記入射方向とは反対方向側に位置する側面部と、前記側面部に当接する頭部及び前記連結部材の螺合部に螺合する軸部を有するねじと、前記連結部材と前記側面部との間に配置され、前記連結部材を前記ねじの挿入方向に付勢する付勢部材と、を備えることが好ましい。
【００１８】
上記第１態様によれば、ねじ（軸部）が回動した場合であっても、ピンは、固定筒体のガイド孔により、当該ねじの回動方向への移動が規制されているので、ピンは、当該回動方向には移動しない。このため、ピンが突設された連結部材も当該方向には移動しないので、上記ねじの軸部の回動により、連結部材の螺合部への螺合量が変化する。
このように、ピンが突設された連結部材が回転ホイールに入射される光の入射方向に延びるガイド孔に沿って移動するので、当該連結部材に連結された駆動装置、ひいては、駆動装置が有する回転ホイールを上記入射方向に沿って移動させることができる。これにより、回転ホイールに入射される光の光束径を調整できる。
また、付勢部材が連結部材と側面部との間に配置され、当該連結部材をねじの挿入方向に付勢するので、連結部材に螺合するねじと、当該ねじが螺合する螺合部との隙間により生じるがたつきを当該付勢部材により抑制できる。
更に、当該ねじにより固定筒体及び連結部材が固定されるので、位置調整部により連結部材の位置が調整された後に、当該連結部材及び固定筒体が接着剤等により固定される場合に比べて、リユース性及びリワーク性をより向上できる。
【００１９】
上記第１態様では、前記付勢部材は、コイルばねであり、前記コイルばねは、前記ねじを囲むように配置されていることが好ましい。
上記第１態様によれば、コイルばねが上記ねじを囲むように配置されているので、当該ねじと上記螺合部との隙間により生じるがたつきを確実に当該コイルばねにより抑制できる。
【００２０】
本発明の第２態様に係る波長変換装置は、上記位置調整装置と、前記回転ホイールの光入射側に設けられ、前記入射された光の波長を変換する波長変換層と、を備えることを特徴とする。
なお、上記波長変換層としては、蛍光体を含む蛍光体層を例示できる。
上記第２態様では、上記第１態様に係る位置調整装置と同様の効果を奏することができる。また、波長変換層に入射される光の光束径を調整できるので、当該波長変換層（蛍光体層）に入射され、波長が変換されて出射される光の光束径を調整できる。
【００２１】
本発明の第３態様に係る拡散反射装置は、上記位置調整装置と、前記回転ホイールの光入射側に設けられ、前記入射された光を拡散反射させる拡散反射層と、を備えることを特徴とする。
上記第３態様によれば、上記第１態様に係る位置調整装置と同様の効果を奏することができる。また、拡散反射層に入射され、拡散反射される光の光束径を調整できる。
【００２２】
本発明の第４態様に係る光源装置は、光源と、上記波長変換装置及び上記拡散反射装置の少なくとも一方と、を備えることを特徴とする。
上記第４態様に係る光源装置は、上記第２態様に係る波長変換装置及び上記第３態様に係る拡散反射装置の少なくとも一方と同様の効果を奏することができる。
【００２３】
本発明の第５態様に係る光源装置は、光源と、上記波長変換装置と、上記拡散反射装置と、前記波長変換装置及び前記拡散反射装置のそれぞれから出射された光を合成して出射させる光合成装置と、前記光源、前記波長変換装置、前記拡散反射装置及び前記光合成装置を収容する筐体と、を備え、前記波長変換装置及び前記拡散反射装置のそれぞれに設けられる前記位置調整装置の少なくとも一部は、前記筐体外に露出していることを特徴とする。
上記第５態様によれば、光源から出射された光が波長変換装置及び拡散反射装置に入射され、当該波長変換装置及び拡散反射装置から出射された光の光束径を調整できるので、光合成装置から所望の光束径の光を出射できる。また、波長変換装置及び拡散反射装置のそれぞれに設けられた位置調整装置が筐体外に露出しているので、波長変換層及び拡散反射層の位置を容易に調整できる。従って、光源装置から出射される光の輝度及び当該光の光束径を容易に調整できる。
【００２４】
本発明の第６態様に係るプロジェクターは、上記光源装置と、前記光源装置から出射された光を変調させる光変調装置と、前記光変調装置により変調された光を投射する投射光学装置と、を備えることを特徴とする。
上記第６態様によれば、上記第４態様及び上記第５態様に係る光源装置と同様の効果を奏することができる。また、光源装置から光束径の調整された光が出射されるので、プロジェクターから出射される投射画像の輝度及び彩度を調整できる。従って、投射画像に色むらが発生することが抑制できる。
【図面の簡単な説明】
【００２５】
【図１】本発明の一実施形態に係るプロジェクターの外観を示す斜視図。
【図２】上記実施形態に係る装置本体の構成を示す模式図。
【図３】上記実施形態に係る照明装置の構成を示す模式図。
【図４】上記実施形態に係る光源装置用筐体の構成を示す斜視図。
【図５】上記実施形態に係る光源装置用筐体を構成する第１筐体を示す斜視図。
【図６】上記実施形態に係る波長変換装置を光入射側から見た斜視図。
【図７】上記実施形態に係る波長変換装置を光入射側とは反対方向側から見た斜視図。
【図８】上記実施形態に係る波長変換装置の分解斜視図。
【図９】上記実施形態に係る波長変換装置の天面図。
【図１０】上記実施形態に係る波長変換装置の断面図。
【図１１】上記実施形態に係る波長変換装置の背面図。
【図１２】上記実施形態に係る波長変換装置の側面図。
【図１３】上記実施形態に係る拡散反射装置を光入射側から見た斜視図。
【図１４】上記実施形態に係る拡散反射装置を光入射側とは反対方向側から見た斜視図。
【図１５】上記実施形態に係る拡散反射装置の分解斜視図。
【図１６】上記実施形態に係る拡散反射装置の天面図。
【図１７】上記実施形態に係る拡散反射装置の断面図。
【図１８】上記実施形態に係る拡散反射装置の背面図。
【図１９】上記実施形態に係る拡散反射装置の側面図。
【発明を実施するための形態】
【００２６】
以下、本発明の一実施形態について、図面に基づいて説明する。
［プロジェクターの外観構成］
図１は、本実施形態に係るプロジェクター１の外観を示す斜視図である。
本実施形態に係るプロジェクター１は、後述する照明装置４１から出射された光を変調して画像情報に応じた画像を形成し、形成された画像をスクリーン等の被投射面上に拡大投射する投射型画像表示装置である。このプロジェクター１は、当該照明装置４１を構成する波長変換装置６及び拡散反射装置７が、それぞれの光軸直交方向に対する位置調整後の固定時のずれ（ガタ）を抑制する構成を有する点を、特徴の１つとしている。
このようなプロジェクター１は、図１に示すように、外観を構成し、後述する装置本体３（図２参照）を収容する外装筐体２を備える。この外装筐体２は、それぞれ合成樹脂により形成されたアッパーケース２Ａ、ロアーケース２Ｂ、フロントケース２Ｃ及びリアケース２Ｄが組み合わされて、略直方体形状に構成されている。このような外装筐体２は、天面部２１、底面部２２、正面部２３、背面部２４、左側面部２５及び右側面部２６を有する。
【００２７】
底面部２２には、プロジェクター１が載置面に載置される場合に当該載置面に接触する脚部２２１が、複数箇所に着脱可能に設けられている。
正面部２３の中央部分には、後述する投射光学装置４６の端部４６１を露出させ、当該投射光学装置４６により投射される画像が通過する開口部２３１が形成されている。
また、正面部２３において左側面部２５側の位置には、外装筐体２内の熱を帯びた冷却気体が排出される排気口２３２が形成され、当該排気口２３２には、複数のルーバー２３３が設けられている。
一方、正面部２３において右側面部２６側の位置には、プロジェクター１の動作状態を示す複数のインジケーター２３４が設けられている。
右側面部２６には、外部の空気を冷却気体として内部に導入する導入口２６１が形成され、当該導入口２６１には、フィルター（図示省略）が設けられたカバー部材２６２が取り付けられている。
【００２８】
［装置本体の構成］
図２は、装置本体３の構成を示す模式図である。
装置本体３は、図２に示すように、画像投射装置４を備える。更に、図示を省略するが、装置本体３は、プロジェクター１の動作を制御する制御装置、プロジェクター１を構成する電子部品に電力を供給する電源装置、及び、発熱体を冷却する冷却装置を備える。これらのうち、制御装置は、例えば、外部から入力される画像情報に応じた画像信号を画像投射装置４に出力する他、上記複数のインジケーター２３４の点灯を制御する。
【００２９】
［画像投射装置の構成］
画像投射装置４は、上記制御装置から入力される画像信号に応じた画像を形成して、上記被投射面ＰＳ上に投射する。この画像投射装置４は、照明装置４１、色分離装置４２、平行化レンズ４３、光変調装置４４、色合成装置４５及び投射光学装置４６を備える。
これらのうち、照明装置４１は、光変調装置４４を均一に照明する照明光ＷＬを出射する。この照明装置４１の構成については、後に詳述する。
【００３０】
色分離装置４２は、照明装置４１から入射される照明光ＷＬから青色光ＬＢ、緑色光ＬＧ及び赤色光ＬＲを分離する。この色分離装置４２は、ダイクロイックミラー４２１，４２２、反射ミラー４２３，４２４，４２５及びリレーレンズ４２６，４２７と、これらを内部に収容する光学部品用筐体４２８と、を備える。
ダイクロイックミラー４２１は、上記照明光ＷＬに含まれる青色光ＬＢを透過させ、緑色光ＬＧ及び赤色光ＬＲを反射させる。このダイクロイックミラー４２１を透過した青色光ＬＢは、反射ミラー４２３にて反射され、平行化レンズ４３（４３Ｂ）に導かれる。
ダイクロイックミラー４２２は、上記ダイクロイックミラー４２１にて反射された緑色光ＬＧ及び赤色光ＬＲのうち、緑色光ＬＧを反射させて平行化レンズ４３（４３Ｇ）に導き、赤色光ＬＲを透過させる。この赤色光ＬＲは、リレーレンズ４２６、反射ミラー４２４、リレーレンズ４２７及び反射ミラー４２５を介して、平行化レンズ４３（４３Ｒ）に導かれる。
平行化レンズ４３（赤、緑及び青の各色光用の平行化レンズを、それぞれ４３Ｒ，４３Ｇ，４３Ｂとする）は、入射される光を平行化する。
【００３１】
光変調装置４４（赤、緑及び青の各色光用の光変調装置を、それぞれ４４Ｒ，４４Ｇ，４４Ｂとする）は、それぞれ入射される上記色光ＬＲ，ＬＧ，ＬＢを変調して、制御装置から入力される画像信号に応じた色光ＬＲ，ＬＧ，ＬＢ毎の画像を形成する。これら光変調装置４４のそれぞれは、例えば、入射される光を変調する液晶パネルと、当該液晶パネルの入射側及び出射側に配置される一対の偏光板と、を備えて構成される。
色合成装置４５は、各光変調装置４４Ｒ，４４Ｇ，４４Ｂから入射される色光ＬＲ，ＬＧ，ＬＢ毎の画像を合成する。この色合成装置４５は、本実施形態では、クロスダイクロイックプリズムにより構成されているが、複数のダイクロイックミラーによって構成することも可能である。
投射光学装置４６は、色合成装置４５にて合成された画像を上記被投射面ＰＳに拡大投射する。このような投射光学装置４６として、例えば、鏡筒と、当該鏡筒内に配置される複数のレンズとにより構成される組レンズを採用できる。
【００３２】
［照明装置の構成］
図３は、照明装置４１の構成を示す模式図である。
照明装置４１は、上記のように、照明光ＷＬを色分離装置４２に向けて出射する。この照明装置４１は、図３に示すように、光源装置５及び均一化装置９を有する。
【００３３】
［光源装置の構成］
光源装置５は、均一化装置９に光束を出射する。この光源装置５は、光源部５１、アフォーカル光学素子５２、第１位相差素子５３、ホモジナイザー光学装置５４、光合成装置５５、第１ピックアップ光学装置５６、波長変換装置６、第２位相差素子５７、第２ピックアップ光学装置５８及び拡散反射装置７を備える他、後述する光源装置用筐体８（図４参照）を備える。
これらのうち、光源部５１、アフォーカル光学素子５２、第１位相差素子５３、ホモジナイザー光学装置５４、光合成装置５５、第２位相差素子５７、第２ピックアップ光学装置５８及び拡散反射装置７は、光源装置用筐体８に設定された第１照明光軸Ａｘ１上に配置されている。一方、第１ピックアップ光学装置５６及び波長変換装置６は、同じく光源装置用筐体８に設定され、かつ、第１照明光軸Ａｘ１に直交する第２照明光軸Ａｘ２上に配置される。そして、光合成装置５５は、第１照明光軸Ａｘ１と第２照明光軸Ａｘ２との交差部分に配置され、第２位相差素子５７、第２ピックアップ光学装置５８及び拡散反射装置７は、光源部５１、アフォーカル光学素子５２、第１位相差素子５３、ホモジナイザー光学装置５４と、光合成装置５５を挟んで反対側に位置する。
【００３４】
なお、以下の説明では、第１照明光軸Ａｘ１に沿って光源部５１から出射される励起光の進行方向を＋Ｚ方向とする。また、＋Ｚ方向に直交し、かつ、互いに直交する＋Ｘ方向及び＋Ｙ方向のうち、第１照明光軸Ａｘ１に直交する第２照明光軸Ａｘ２に沿って光源装置５から出射される照明光の進行方向を＋Ｘ方向とする。更に、底面部２２から天面部２１に向かう方向を＋Ｙ方向とする。そして、図示を省略するが、説明の便宜上、＋Ｚ方向とは反対方向を−Ｚ方向とする。−Ｘ方向及び−Ｙ方向も同様である。
【００３５】
［光源部の構成］
光源部５１は、アフォーカル光学素子５２に向けて青色光である励起光を出射する。この光源部５１は、第１光源部５１１、第２光源部５１２及び光合成部材５１３を有する。
第１光源部５１１は、ＬＤ（Laser Diode）である固体光源ＳＳがマトリクス状に複数配列された固体光源アレイ５１１１と、各固体光源ＳＳに応じた複数の平行化レンズ（図示省略）と、を有する。また、第２光源部５１２も同様に、固体光源ＳＳがマトリクス状に複数配列された固体光源アレイ５１２１と、各固体光源ＳＳに応じた複数の平行化レンズ（図示省略）と、を有する。これら固体光源ＳＳは、例えばピーク波長が４４０ｎｍの励起光を射出するが、ピーク波長が４４６ｎｍの励起光を出射してもよい。また、ピーク波長が４４０ｎｍ及び４４６ｎｍの励起光をそれぞれ出射する固体光源を、各光源部５１１，５１２に混在させてもよい。これら固体光源ＳＳから出射された励起光は、平行化レンズにより平行化されて光合成部材５１３に入射される。なお、本実施形態では、各固体光源ＳＳから出射される励起光は、Ｓ偏光である。
【００３６】
光合成部材５１３は、第１光源部５１１から第１照明光軸Ａｘ１に沿って出射された励起光を透過し、第２光源部５１２から第１照明光軸Ａｘ１に交差する方向に沿って出射された励起光を第１照明光軸Ａｘ１に沿うように反射させ、各励起光を合成する。この光合成部材５１３は、本実施形態では、第１光源部５１１からの励起光を透過させる複数の透過部と、第２光源部５１２からの励起光を反射させる複数の反射部と、が交互に配列された板状体として構成されている。このような光合成部材５１３を介した励起光は、アフォーカル光学素子５２に入射される。
なお、図３では、光合成部材５１３の機能を説明するために、第２光源部５１２を、光合成部材５１３に対して＋Ｘ方向側に配置しているが、本実施形態においては、第２光源部５１２は、光合成部材５１３に対して＋Ｙ方向側に位置している。しかしながら、第２光源部５１２は、図３に示したように＋Ｘ方向側に位置していてもよく、−Ｙ方向側又は−Ｘ方向側に位置していてもよい。
【００３７】
［アフォーカル光学素子の構成］
アフォーカル光学素子５２は、光源部５１から入射される励起光の光束径を調整する。具体的に、アフォーカル光学素子５２は、光源部５１から平行光として入射される励起光を集光して光束径を縮小させるレンズ５２１と、当該レンズ５２１から入射される励起光を平行化して出射するレンズ５２２と、を有する。このアフォーカル光学素子５２により、光源部５１から出射された励起光は、集光されて第１位相差素子５３に入射される。
【００３８】
［第１位相差素子の構成］
第１位相差素子５３は、１／２波長板である。この第１位相差素子５３を透過することにより、アフォーカル光学素子５２から入射されるＳ偏光の励起光は、一部がＰ偏光の励起光に変換され、Ｓ偏光とＰ偏光とが混在した励起光となる。このような第１位相差素子５３を透過した励起光は、ホモジナイザー光学装置５４に入射される。
なお、本実施形態では、第１位相差素子５３は、当該第１位相差素子５３の光軸（第１照明光軸Ａｘ１と一致）を中心として回動可能に構成されている。この第１位相差素子５３が回転されることにより、第１位相差素子５３を透過した励起光のＳ偏光光とＰ偏光光との割合を調整でき、ひいては、光源装置５から出射される照明光のホワイトバランスを調整できる。
【００３９】
［ホモジナイザー光学装置の構成］
ホモジナイザー光学装置５４は、後述する第１ピックアップ光学装置５６とともに、後述する波長変換装置６における被照明領域である蛍光体層６１２に入射される励起光の照度分布を均一化する均一化装置であり、当該ホモジナイザー光学装置５４を透過した励起光は、光合成装置５５に入射される。このようなホモジナイザー光学装置５４は、第１マルチレンズ５４１及び第２マルチレンズ５４２を備える。
【００４０】
第１マルチレンズ５４１は、第１照明光軸Ａｘ１に対する直交面内に、複数の第１レンズ５４１１がマトリクス状に配列された構成を有し、入射される励起光を当該複数の第１レンズ５４１１によって複数の部分光束に分割する。
第２マルチレンズ５４２は、第１照明光軸Ａｘ１に対する直交面内に、上記複数の第１レンズ５４１１に応じた複数の第２レンズ５４２１がマトリクス状に配列された構成を有する。そして、第２マルチレンズ５４２は、各第１レンズ５４１１により分割された複数の部分光束を、各第２レンズ５４２１及び第１ピックアップ光学装置５６と協同して、上記被照明領域である蛍光体層６１２に重畳させる。これにより、当該蛍光体層６１２に入射される励起光の中心軸に直交する面内（第２照明光軸Ａｘ２に対する直交面内）の照度が均一化される。
なお、上記マルチレンズ５４１，５４２のうち、第２マルチレンズ５４２は、光源装置５の製造（組立）の際に、第１マルチレンズ５４１に対して第１照明光軸Ａｘ１に対する直交面（＋Ｚ方向に対する直交面）に沿って移動可能に構成されている。
【００４１】
［光合成装置の構成］
光合成装置５５は、略直角二等辺三角柱状に形成されたプリズム５５１を有するＰＢＳ（Polarizing Beam Splitter）であり、斜辺に応じた面５５２が、第１照明光軸Ａｘ１及び第２照明光軸Ａｘ２のそれぞれに対して略４５°傾斜し、各隣辺に応じた面５５３，５５４のうち、面５５３が、第２照明光軸Ａｘ２に略直交し、面５５４が第１照明光軸Ａｘ１に略直交する。そして、面５５２には、波長選択性を有する偏光分離層が形成されている。
【００４２】
偏光分離層は、励起光に含まれるＳ偏光とＰ偏光とを分離する特性を有する他、後述する波長変換装置６にて生じる蛍光を、当該蛍光の偏光状態に依らずに透過させる特性を有する。すなわち、偏光分離層は、青色光領域の波長の光についてはＳ偏光とＰ偏光とを分離するが、緑色光領域及び赤色光領域の波長の光についてはＳ偏光及びＰ偏光のそれぞれを透過させる、波長選択性の偏光分離特性を有する。
このような光合成装置５５により、ホモジナイザー光学装置５４から入射された励起光のうち、Ｐ偏光は、第１照明光軸Ａｘ１に沿って第２位相差素子５７側に透過され、Ｓ偏光は、第２照明光軸Ａｘ２に沿って第１ピックアップ光学装置５６側に反射される。すなわち、光合成装置５５は、ホモジナイザー光学装置５４から入射される励起光のうち、Ｐ偏光の励起光を第２位相差素子５７に向けて出射し、Ｓ偏光の励起光を第１ピックアップ光学装置５６に向けて出射する。
また、詳しくは後述するが、光合成装置５５は、第１ピックアップ光学装置５６を介して入射される蛍光と、第２位相差素子５７を介して入射される励起光（青色光）とを合成する。
【００４３】
［第１ピックアップ光学装置の構成］
第１ピックアップ光学装置５６には、ホモジナイザー光学装置５４を通過して上記偏光分離層にて反射されたＳ偏光の励起光が入射される。この第１ピックアップ光学装置５６は、当該励起光を波長変換装置６の波長変換素子６１（波長変換層）に集光（集束）させる他、当該波長変換素子６１から出射された蛍光を平行化して、偏光分離層に向けて出射する。この第１ピックアップ光学装置５６は、３つのピックアップレンズ５６１〜５６３により構成されているが、当該第１ピックアップ光学装置５６が有するレンズは、３つに限らない。
【００４４】
［波長変換装置の構成］
波長変換装置６は、入射された励起光を蛍光に波長変換する。この波長変換装置６は、波長変換素子６１、回転装置６２及びこれら波長変換素子６１及び回転装置６２を第２照明光軸Ａｘ２に沿って移動させる位置調整装置６３を備える。
これらのうち、回転装置６２は、本発明の駆動装置に相当し、平板状に形成された波長変換素子６１を回転させるモーター等により構成されている。
【００４５】
波長変換素子６１は、基板６１１と、当該基板６１１において励起光の入射側の面に位置する蛍光体層６１２及び反射層６１３と、を有する。
基板６１１は、本発明の回転ホイールに相当し、励起光の入射側から見て略円形状に形成されている。この基板６１１は、金属やセラミックス等により構成できる。なお、基板６１１は、本発明の回転ホイールに相当する。
蛍光体層６１２は、入射された励起光により励起されて非偏光光である蛍光（例えば５００〜７００ｎｍの波長域にピーク波長を有する蛍光）を出射する蛍光体を含む。この蛍光体層６１２にて生じる蛍光の一部は、第１ピックアップ光学装置５６側に出射され、他の一部は、反射層６１３側に出射される。
なお、蛍光体層６１２は、本発明の波長変換層に相当する。
反射層６１３は、蛍光体層６１２と基板６１１との間に配置され、当該蛍光体層６１２から入射される蛍光を第１ピックアップ光学装置５６側に反射させる。
このような波長変換素子６１に励起光が照射されると、蛍光体層６１２及び反射層６１３によって、上記蛍光が第１ピックアップ光学装置５６側に拡散出射される。そして、当該蛍光は、第１ピックアップ光学装置５６を介して光合成装置５５の偏光分離層に入射され、第２照明光軸Ａｘ２に沿って当該偏光分離層を透過して、均一化装置９に入射される。すなわち、波長変換素子６１にて生じた蛍光は、光合成装置５５により、第２照明光軸Ａｘ２方向（＋Ｘ方向）に出射される。
【００４６】
位置調整装置６３は、第１ピックアップ光学装置５６に対して少なくとも蛍光体層６１２の位置が第２照明光軸Ａｘ２に沿って移動可能に構成されている。このように波長変換装置６（蛍光体層６１２）が移動されることにより、蛍光体層６１２に対する励起光の照射範囲を調整できる。このため、波長変換装置６から拡散出射される蛍光の光束径を調整でき、ひいては、光合成装置５５を介して均一化装置９側に進行する当該蛍光の光束径を調整できる。
なお、位置調整装置６３の詳しい構成については、後述する。
【００４７】
［第２位相差素子、第２ピックアップ光学装置及び拡散素子の構成］
第２位相差素子５７は、１／４波長板であり、光合成装置５５を透過して入射されるＰ偏光の励起光（直線偏光）の偏光状態を円偏光に変換する。
第２ピックアップ光学装置５８は、第２位相差素子５７を透過した励起光を拡散反射装置７に集光（集束）させる光学装置であり、本実施形態では、３つのピックアップレンズ５８１〜５８３を有する。しかしながら、第２ピックアップ光学装置５８を構成するレンズの数は、上記第１ピックアップ光学装置５６と同様に３つに限らない。
拡散反射装置７は、波長変換装置６から拡散して出射される蛍光と同様の拡散角で、入射される励起光（青色光）を拡散反射させる。この拡散反射装置７としては、入射光をランバート反射させる反射板７１と、当該反射板７１を回転させて冷却する回転装置７２と、当該反射板７１及び回転装置７２を移動させる位置調整装置７３を有する。
これらのうち位置調整装置７３は、上記反射板７１及び回転装置７２を第１照明光軸Ａｘ１に沿って移動可能に支持する。このように反射板７１が移動されることにより、当該反射板７１に入射される励起光の光束径を調整できるので、当該拡散反射装置７によって拡散される励起光の光束径、ひいては、上記偏光分離層にて反射されて均一化装置９に向かって進行する当該励起光の光束径を調整できる。すなわち、反射板７１は、本発明の拡散反射層及び回転ホイールを構成する。
なお、位置調整装置７３の詳しい構成については、後述する。
【００４８】
このような拡散反射装置７にて拡散反射された励起光は、第２ピックアップ光学装置５８を介して再び第２位相差素子５７に入射される。この拡散反射装置７にて反射される時に、当該拡散反射装置７に入射された円偏光は逆回りの円偏光となり、第２位相差素子５７を再度透過する過程にて、当該逆回りの円偏光の励起光は、Ｐ偏光に対して偏光方向が９０°回転されたＳ偏光の励起光に変換される。そして、当該Ｓ偏光の励起光は、上記偏光分離層にて反射され、第２照明光軸Ａｘ２に沿って均一化装置９に青色光として入射される。すなわち、拡散反射装置７にて拡散反射された励起光は、光合成装置５５により、当該光合成装置５５を通過する上記蛍光の進行方向と同方向に出射される。
【００４９】
なお、第２ピックアップ光学装置５８を構成する上記ピックアップレンズ５８１〜５８３は、第１照明光軸Ａｘ１に対する直交面に沿って移動可能に構成されている。このように各レンズ５８１〜５８３が移動されることにより、拡散反射装置７によって拡散された励起光（青色光）の上記偏光分離層に対する入射角、ひいては、当該偏光分離層にて反射されて均一化装置９に向かって進行する当該励起光の第２照明光軸Ａｘ２に対する傾斜角を調整できる。なお、上記ホモジナイザー光学装置５４の第２マルチレンズ５４２が移動されると、当該第２マルチレンズ５４２を通過した励起光の光路が変更されることから、レンズ５８１〜５８３を通過する励起光の光路も変更される。このことから、当該レンズ５８１〜５８３の移動は、青色光について、第２マルチレンズ５４２の移動による光路の変更を補完する機能も有する。
【００５０】
このように、ホモジナイザー光学装置５４を介して光合成装置５５に入射された励起光のうち、Ｓ偏光の励起光は、波長変換装置６によって上記蛍光に波長変換された後、光合成装置５５を透過して均一化装置９に入射される。一方、Ｐ偏光の励起光は、上記拡散反射装置７に入射されることによって拡散反射されるとともに、第２位相差素子５７を２回透過し、光合成装置５５にて反射されてＳ偏光の青色光として均一化装置９に入射される。すなわち、これら青色光、緑色光及び赤色光は、光合成装置５５にて合成されて第２照明光軸Ａｘ２方向（＋Ｘ方向）に出射され、白色の照明光として均一化装置９に入射される。
【００５１】
［均一化装置の構成］
均一化装置９は、光源装置５から入射される照明光の中心軸に対する直交面（光軸直交面）における照度を均一化し、ひいては、上記光変調装置４４（４４Ｒ，４４Ｇ，４４Ｂ）における被照明領域である画像形成領域（変調領域）の照度分布を均一化する。この均一化装置９は、第１レンズアレイ９１、第２レンズアレイ９２、偏光変換素子９３及び重畳レンズ９４を備える。これら構成９１〜９４は、それぞれの光軸が第２照明光軸Ａｘ２と一致するように配置される。
【００５２】
第１レンズアレイ９１は、複数の小レンズ９１１が光軸直交面にてマトリクス状に配列された構成を有し、当該複数の小レンズ９１１により、入射される照明光を複数の部分光束に分割する。
第２レンズアレイ９２は、第１レンズアレイ９１と同様に、複数の小レンズ９２１が光軸直交面にてマトリクス状に配列された構成を有し、各小レンズ９２１は、対応する小レンズ９１１と１対１の関係にある。すなわち、或る小レンズ９２１には、対応する小レンズ９１１から出射された部分光束が入射される。これら小レンズ９２１は、各小レンズ９１１により分割された複数の部分光束を、重畳レンズ９４とともに各光変調装置４４の上記画像形成領域に重畳させる。
偏光変換素子９３は、第２レンズアレイ９２と重畳レンズ９４との間に配置され、入射される複数の部分光束の偏光方向を揃える機能を有する。
【００５３】
［光源装置における光束の光路調整及び光束径調整］
上記光源装置５においては、光学部品の位置ずれや公差等により、当該光源装置５から出射される蛍光の光路及び青色光の光路が、均一化装置９の光軸である第２照明光軸Ａｘ２に対してずれる場合がある。これら蛍光及び青色光の光路にずれが生じると、対応する色光によって照明される光変調装置４４にて照度むらが生じ、これにより、投射画像に色むらが発生する。このため、上記光源装置５においては、当該光源装置５から出射される蛍光光及び青色光の光路を調整する必要がある。
また、光源装置５から出射される蛍光及び青色光のそれぞれの光束径が異なる場合も、上記照度むらが生じ、ひいては、投射画像に色むらが発生する。
従って、以下のように、蛍光及び青色光の光路調整（光軸調整）を実施する必要がある他、それぞれの光束径調整を実施する必要がある。
【００５４】
はじめに、青色光よりパワーがある蛍光の光路及び光束径のそれぞれを調整する。
まず、ホモジナイザー光学装置５４の第２マルチレンズ５４２を第１照明光軸Ａｘ１に対する直交面に沿って移動させて、当該波長変換装置６（蛍光体層６１２）に対する励起光の入射角を調整する。これにより、波長変換装置６から出射される蛍光の中心軸と第２照明光軸Ａｘ２とが一致するように調整される。
そして、波長変換装置６を第２照明光軸Ａｘ２に沿って移動させて、光源装置５から均一化装置９に出射される蛍光が、上記第１レンズアレイ９１における小レンズ９１１の配置領域内に入射されるように、蛍光体層６１２の第２照明光軸Ａｘ２上の位置を調整する。これにより、蛍光の光束径が調整される。
【００５５】
次に、青色光の光路及び光束径を蛍光の光路及び光束径に合わせるように調整する。
まず、第２ピックアップ光学装置５８のピックアップレンズ５８１〜５８３を第１照明光軸Ａｘ１に対する直交面に沿って移動させて、拡散反射装置７に入射される青色光の入射位置、ひいては、光合成装置５５に入射される青色光の入射位置を調整する。これにより、光合成装置５５から第１レンズアレイ９１に向けて出射される青色光の光路が、当該第１レンズアレイ９１に向かって進行する蛍光の光路と一致するように調整される。
そして、拡散反射装置７を第１照明光軸Ａｘ１に沿って移動させて、上記青色光が上記第１レンズアレイ９１における小レンズ９１１の配置領域内に入射され、かつ、蛍光の照射範囲と青色光の照射範囲とが一致するように、当該拡散反射装置７の位置を調整する。これにより、青色光の光束径が、蛍光の光束径と一致するように調整される。
【００５６】
このようにして、蛍光の光路と青色光の光路とが一致し、当該蛍光の光束径と青色光の光束径とが一致することにより、光変調装置４４にて上記照度むらが発生することが抑制され、ひいては、投射画像に色むらが発生することが抑制される。
なお、上記のように、第１位相差素子５３は、第１照明光軸Ａｘ１を中心として回転可能に構成されており、これにより、当該第１位相差素子５３を通過する励起光にそれぞれ含まれるＰ偏光とＳ偏光との比率を調整できる。このため、光合成装置５５から拡散反射装置７に向かう励起光の光量と、波長変換装置６に向かう励起光の光量との比率、換言すると、青色光と蛍光との比率を調整できる。従って、光源装置５から出射される照明光ＷＬのホワイトバランスを調整できる。
【００５７】
［光源装置用筐体の構成］
図４は、光源装置用筐体８を＋Ｚ方向側から見た斜視図である。
光源装置用筐体８は、上記のように、内部に設定された第１照明光軸Ａｘ１及び第２照明光軸Ａｘ２における所定位置にて上記構成５２〜５８，６，７を収容する筐体であり、上記光源部５１と接続される。この光源装置用筐体８は、図４に示すように、−Ｙ方向側に位置し、各構成５２〜５８，６，７が固定される第１筐体８Ａと、＋Ｙ方向側に位置し、当該第１筐体８Ａを閉塞する第２筐体８Ｂとが組み合わされた構成を有する。
なお、光源装置用筐体８は、本発明の筐体に相当する。
【００５８】
光源装置用筐体８は、−Ｚ方向側に位置する第１面部８１、＋Ｚ方向側に位置する第２面部８２、＋Ｙ方向側に位置する第３面部８３、−Ｙ方向側に位置する第４面部８４、−Ｘ方向側に位置する第５面部８５、及び、＋Ｘ方向側に位置する第６面部８６を有し、＋Ｙ方向側から見て、第５面部８５が−Ｘ方向側に突出した略Ｔ字状に形成されている。
【００５９】
図５は、第２筐体８Ｂを取り外した状態の光源装置用筐体８を＋Ｚ方向側から見た斜視図である。
第１筐体８Ａは、図５に示すように、波長変換装置６が固定される第１切欠８Ａ１と、拡散反射装置７が固定される第２切欠８Ａ２と、を備える。これらのうち、第１切欠８Ａ１は、第５面部８５に形成された略半円形状の切欠である。この第１切欠８Ａ１には、波長変換装置６の位置調整装置６３が嵌め込まれ、上記第２筐体８Ｂが取り付けられることで、当該位置調整装置６３、ひいては、波長変換装置６を固定する。
また、第２切欠８Ａ２は、第２面部８２に形成された略半円形状の切欠である。この第２切欠８Ａ２には、拡散反射装置７の位置調整装置７３が嵌め込まれ、上記第２筐体８Ｂが取り付けられることで、当該位置調整装置７３、ひいては、拡散反射装置７を固定する。
【００６０】
すなわち、光源装置用筐体８は、波長変換装置６の位置調整装置６３の一部及び拡散反射装置７の位置調整装置７３の一部を露出させた状態で、これら波長変換装置６及び拡散反射装置７を収容し、かつ、固定する。
なお、本実施形態では、図示を省略するが、波長変換装置６を冷却する冷却装置及び当該冷却装置からの冷却気体が循環するカバーが上記波長変換装置６の一部を覆うように設けられており、波長変換装置６がカバーにより覆われることにより、当該波長変換装置６が循環冷却される。
【００６１】
［波長変換装置の構成］
図６は、波長変換装置６を＋Ｘ方向側から見た斜視図であり、図７は、波長変換装置６を−Ｘ方向側から見た斜視図であり、図８は、波長変換装置６の分解斜視図である。
波長変換素子６１は、図８に示すように、上記構成の他、基板６１１の−Ｘ方向側の面に固定される流線形状のフィン６１４を備える。このフィン６１４を設けることにより、基板６１１に冷却気体が循環し、当該基板６１１、ひいては、蛍光体層６１２を冷却する。
回転装置６２の−Ｘ方向側の面には、固定板６２１が設けられている。この固定板６２１は、後述する位置調整装置６３（連結部材６３１）が固定される部位であり、当該固定板６２１の略中央には、開口部６２１１が形成されている。この開口部６２１１には、回転装置６２が嵌め込まれている。
また、固定板６２１の開口部６２１１を挟んだ両端には、ねじ孔６２１２が形成されている。このねじ孔６２１２には、後述する連結部材６３１を介してねじＳ１が挿通され、当該固定板６２１に固定される。
【００６２】
［位置調整装置の構成］
位置調整装置６３は、本発明の回転ホイールに相当する波長変換素子６１及び回転装置６２をＸ方向に沿って移動させ、波長変換素子６１に入射される光の光束径を調整する。この位置調整装置６３は、図６〜図８に示すように、連結部材６３１、固定筒体６３２、回転筒体６３３、ピン６３４、把持部６３５、固定ねじ６３６、第１ねじ６３７、第２ねじ６３８及びねじＳ１を備える。
なお、固定筒体６３２、回転筒体６３３、ピン６３４、把持部６３５、固定ねじ６３６、第１ねじ６３７、第２ねじ６３８及びねじＳ１は、本発明の位置調整部として機能する。
【００６３】
［連結部材の構成］
これらのうち、連結部材６３１は、波長変換素子６１を回転駆動させる回転装置６２の固定板６２１と連結される部材である。この連結部材６３１は、板状部６３１１、延出部６３１２及び突出部６３１３と、を備える。
板状部６３１１は、略円形状に形成され、上記固定板６２１に対向して配置される。この板状部６３１１の−Ｘ方向側の面の略中央部分には、−Ｘ方向に延出する延出部６３１２が接続される。また、板状部６３１１の＋Ｚ方向側及び−Ｚ方向側のそれぞれには、貫通孔６３１１１が形成されている。この貫通孔６３１１１のそれぞれには、ねじＳ１が挿通され、連結部材６３１が固定板６２１に固定される。
【００６４】
延出部６３１２は、上記板状部６３１１の略中央部分から−Ｘ方向に延出する円柱状の部位である。この延出部６３１２は、後述する固定筒体６３２の貫通孔６３２１１内に配置され、当該貫通孔６３２１１内をＸ方向に沿って移動可能に支持される。また、延出部６３１２の径方向外側には、３つの取付部６３１２１が形成されている。これら３つの取付部６３１２１は、当該円柱状の延出部６３１２を−Ｘ方向に沿って見た場合に、４時の方向、８時の方向及び１２時の方向のそれぞれに形成されている。これら取付部６３１２１には、後述するピン６３４が突設される。
突出部６３１３は、延出部６３１２の−Ｘ方向側の面６３１２２（端部）から当該方向に突出する部位である。この突出部６３１３の略中央部分には、当該突出部６３１３を＋Ｘ方向に貫通し、後述する第２ねじ６３８が螺合する螺合部６３１３１が形成されている。
【００６５】
［固定筒体の構成］
固定筒体６３２は、連結部材６３１の少なくとも一部である延出部６３１２をスライド可能に収容する部材である。この固定筒体６３２は、図６〜図８に示すように、筒状部６３２１、拡径部６３２２及び螺合部６３２３を備える。筒状部６３２１には、当該筒状部６３２１をＸ方向に沿う方向に貫通する貫通孔６３２１１が形成されている。この貫通孔６３２１１には、上記延出部６３１２が挿通される。
また、固定筒体６３２（筒状部６３２１）の側面には、３つの第１ガイド孔６３２１２が形成されている。これら３つの第１ガイド孔６３２１２は上記ピン６３４の移動をガイドする。これら第１ガイド孔６３２１２は、波長変換素子６１に入射される光の入射方向（−Ｘ方向に沿う方向）に延びる形状であり、当該第１ガイド孔６３２１２には、上記ピン６３４が挿通される。なお、これら第１ガイド孔６３２１２は、上記延出部６３１２の取付部６３１２１に対応する位置に形成されている。
螺合部６３２３は、貫通孔６３２１１の−Ｘ方向側の位置に形成される略ドーナツ状の部材である。この螺合部６３２３は、後述する第１ねじ６３７に螺合する。
【００６６】
拡径部６３２２は、筒状部６３２１の−Ｘ方向側の位置に固定され、上記光源装置用筐体８外に配置される。この拡径部６３２２は、筒状部６３２１の径方向外側に広がる板状に形成される。このような拡径部６３２２は、第１開口部６３２２１、第２開口部６３２２２及び第３開口部６３２２３を備える。これらのうち、第１開口部６３２２１は、後述する回転筒体６３３の回転方向に沿う形状に形成された開口部である。換言すると、第１開口部６３２２１は、略円弧状に形成されている。この第１開口部６３２２１には、後述する把持部６３５が挿通される。
また、第２開口部６３２２２は、第１開口部６３２２１の−Ｙ方向に位置し、当該第１開口部６３２２１と略同形状に形成された開口部である。この第２開口部６３２２２には、固定ねじ６３６が挿通される。
更に、第３開口部６３２２３は、第２開口部６３２２２の−Ｙ方向側に位置する開口部である。この第３開口部６３２２３は、筒状部６３２１の貫通孔６３２１１に対向する位置に形成され、当該貫通孔６３２１１よりも大きい直径の円形状の開口部である。なお、後述する第１ねじ６３７は、第３開口部６３２２３を介して上記貫通孔６３２１１内に設けられた螺合部６３２３に螺合する。
【００６７】
［回転筒体の構成］
回転筒体６３３は、固定筒体６３２の周囲に設けられ、当該固定筒体６３２の筒状部６３２１の側面に沿って回転する筒体である。この回転筒体６３３は、図６〜図８に示すように、筒状の本体部６３３１と、当該本体部６３３１から延出する延出部６３３２と、を備える。これらのうち、本体部６３３１は、Ｘ方向に沿って延びる筒状体であり、３つの第２ガイド孔６３３１１を備える。
これら３つの第２ガイド孔６３３１１は、上記ピン６３４の移動をガイドする。これら第２ガイド孔６３３１１は、波長変換素子６１に入射される光の入射方向（−Ｘ方向に沿う方向）に対して傾斜して延びる形状である。より具体的には、第２ガイド孔６３３１１の−Ｚ方向側の端部が当該第２ガイド孔６３３１１の＋Ｚ方向側の端部よりも＋Ｘ方向側に位置するように傾斜している。この第２ガイド孔６３３１１には、上記ピン６３４が挿通される。なお、これら第２ガイド孔６３３１１は、上記延出部６３１２の取付部６３１２１に対応する位置に形成されている。
【００６８】
延出部６３３２は、本体部６３３１の−Ｘ方向側の端部における＋Ｙ方向側の位置から、当該方向に延出する部位である。この延出部６３３２は、貫通孔６３３２１及び螺合孔６３３２２を備える。
貫通孔６３３２１は、拡径部６３２２の第１開口部６３２２１に対応する位置に設けられた貫通孔である。この貫通孔６３３２１には、第１開口部６３２２１を介して把持部６３５が嵌合される。これにより、ユーザーが把持部６３５を把持し、当該把持部６３５を第１開口部６３２２１に沿って移動させることで、回転筒体６３３が回転する。すなわち、把持部６３５及び延出部６３３２は、本発明のレバーを構成する。
螺合孔６３３２２は、拡径部６３２２の第２開口部６３２２２に対応する位置に設けられた螺合孔である。この螺合孔６３３２２には、第２開口部６３２２２を介して固定ねじ６３６が挿通され、当該固定ねじ６３６が螺合される。この固定ねじ６３６の頭部６３６１は、当該固定ねじ６３６を締め付ける方向に回動させることで、第２開口部６３２２２の−Ｘ方向側の面と当接し、当該面を押圧する。これにより、上記把持部６３５の操作により移動された位置にて、回転筒体６３３が固定される。すなわち、固定ねじ６３６及び拡径部６３２２は、本発明のレバーとして機能する把持部６３５及び延出部６３３２の移動を規制する本発明の規制部として機能する。
【００６９】
［ピンの構成］
図９は、波長変換装置６を＋Ｙ方向側から見た平面図である。
ピン６３４は、図６〜図９に示すように、上記延出部６３１２に突設され、上記第１ガイド孔６３２１２及び第２ガイド孔６３３１１にガイドされ、Ｘ方向に沿う方向に移動する部材である。すなわち、ピン６３４が延出部６３１２に突設されているので、延出部６３１２（連結部材６３１）が当該ピンの移動方向と同方向に移動する。
このようなピン６３４は、軸受部６３４１、当接部６３４２及びねじ６３４３を有する。この軸受部６３４１は、上記延出部６３１２の取付部６３１２１に固定される部位である。この軸受部６３４１は、上記ねじ６３４３が螺合する螺合部が形成されている。
当接部６３４２は、軸受部６３４１とねじ６３４３との間に配設され、上記第１ガイド孔６３２１２及び第２ガイド孔６３３１１の縁部に当接する部位である。この当接部６３４２は、上記軸受部６３４１の螺合部の周囲を囲む筒状に形成される。
ねじ６３４３は、当接部６３４２を介して軸受部６３４１及び取付部６３１２１に形成された螺合部に螺合する。これにより、ピン６３４が形成され、当該ピン６３４が第１ガイド孔６３２１２及び第２ガイド孔６３３１１にガイドされることにより、連結部材６３１、ひいては、波長変換素子６１がＸ方向に沿って移動する。
【００７０】
［第１ねじの構成］
図１０は、波長変換装置６を図９のＡ１−Ａ１線にて切断した断面を−Ｚ方向から見た断面図である。
第１ねじ６３７は、後述する第２ねじ６３８と同軸（Ｘ軸）上に設けられるねじであり、連結部材６３１及び固定筒体６３２のがたつきを抑制する機能を有する。この第１ねじ６３７は、連結部材６３１の突出部６３１３を囲み、固定筒体６３２に螺合する。
このような第１ねじ６３７は、図８及び図１０に示すように、本体部６３７１、螺合部６３７２、当接部６３７３及び切欠６３７４を備える。これらのうち、本体部６３７１は、筒状に形成されている。また、螺合部６３７２は、本体部６３７１の外周縁に形成されている。この螺合部６３７２は、固定筒体６３２の螺合部６３２３に螺合する部位である。
当接部６３７３は、本体部６３７１の＋Ｘ方向側の面であり、延出部６３１２の−Ｘ方向側の面６３１２２に当接する。また、切欠６３７４は、本体部６３７１の−Ｘ方向側の端部に形成され、当該切欠６３７４に所定の治具が装着される部位である。このような構成により、上記所定の治具が切欠６３７４に装着され、回動されると、第１ねじ６３７は、＋Ｘ方向側に移動し、固定筒体６３２の螺合部６３２３に螺合し、当該第１ねじ６３７の当接部６３７３が上記面６３１２２に当接する。これにより、第１ねじ６３７は、連結部材６３１を＋Ｘ方向側に付勢しつつ、連結部材６３１及び固定筒体６３２を強固に固定できる。
【００７１】
［第２ねじの構成］
第２ねじ６３８は、上記第１ねじ６３７と同軸上に設けられるねじであり、連結部材６３１及び固定筒体６３２のがたつきを抑制する機能を有する。この第２ねじ６３８は、固定筒体６３２（拡径部６３２２）を貫通して突出部６３１３の螺合部６３１３１に螺合する。
このような第２ねじ６３８は、軸部６３８１及び頭部６３８２を備える。これらのうち、軸部６３８１は、＋Ｘ方向に延びる螺合部であり、当該軸部６３８１は、突出部６３１３の螺合部６３１３１に螺合する。また、頭部６３８２は、−Ｘ方向側から見て第１ねじ６３７を覆う形状である。具体的に、頭部６３８２は、径方向外側に延出し、＋Ｘ方向側に延びる形状である。この頭部６３８２の縁部６３８３は、固定筒体６３２の筒状部６３２１の−Ｘ方向側の端部に当接する。
このような構成により、第２ねじ６３８は、連結部材６３１を−Ｘ方向に向けて付勢する。また、上述したように、第１ねじ６３７は、連結部材６３１を＋Ｘ方向に向けて付勢していることから、第１ねじ６３７及び第２ねじ６３８が相互に作用し、連結部材６３１及び固定筒体６３２が強固に固定される。
【００７２】
［波長変換素子の位置調整方法］
図１１は、波長変換装置６を−Ｘ方向側から見た平面図であり、図１２は、波長変換装置６を−Ｚ方向側から見た側面図である。
波長変換装置６の波長変換素子６１に入射される光の光束径は、位置調整装置６３の操作により調整される。まず、ユーザーは、位置調整装置６３のレバーを構成する把持部６３５を＋Ｋ１方向に移動させる。このように、把持部６３５が＋Ｋ１方向に移動されると、回転筒体６３３が＋Ｋ１方向に回動する。
ここで、回転筒体６３３が＋Ｋ１方向に回動した場合であっても、ピン６３４は、固定筒体６３２の第１ガイド孔６３２１２により、当該＋Ｋ１方向への移動が規制されているので、ピン６３４は、＋Ｋ１方向には移動しない。このため、ピン６３４は、第２ガイド孔６３３１１により＋Ｘ方向側に押圧され、図１２に示すように、Ｘ方向に沿って延びる第１ガイド孔６３２１２に沿って、＋Ｔ１方向、すなわち、＋Ｘ方向に移動する。
これにより、ピン６３４が突設された連結部材６３１が＋Ｘ方向に移動するので、当該連結部材６３１が固定された固定板６２１、ひいては、波長変換素子６１が＋Ｘ方向に移動する。従って、把持部６３５を＋Ｋ１方向に移動させることにより、波長変換素子６１が第１ピックアップ光学装置５６に近接し、当該波長変換素子６１に入射される光の光束径が大きくなる。
【００７３】
一方、ユーザーが位置調整装置６３のレバーを構成する把持部６３５を＋Ｋ１方向とは反対方向（以下、−Ｋ１方向という。）に移動させると、回転筒体６３３が−Ｋ１方向に回動する。
ここで、回転筒体６３３が−Ｋ１方向に回動した場合であっても、上述したように、ピン６３４は、固定筒体６３２の第１ガイド孔６３２１２により、当該−Ｋ１方向への移動が規制されているので、当該ピン６３４は、−Ｋ１方向には移動しない。このため、ピン６３４は、第２ガイド孔６３３１１により−Ｘ方向側に押圧され、図１２に示すように、Ｘ方向に沿って延びる第１ガイド孔６３２１２に沿って、−Ｔ１方向、すなわち、−Ｘ方向に移動する。
これにより、ピン６３４が突設された連結部材６３１が−Ｘ方向に移動するので、当該連結部材６３１が固定された固定板６２１、ひいては、波長変換素子６１が−Ｘ方向に移動する。従って、把持部６３５を−Ｋ１方向に移動させることにより、波長変換素子６１が第１ピックアップ光学装置５６から離間し、当該波長変換素子６１に入射される光の光束径が小さくなる。
以上のように、ユーザーが把持部６３５を＋Ｋ１方向若しくは−Ｋ１方向に移動させることにより、波長変換素子６１に入射される光の光束径が調整される。そして、当該調整が実行された後、固定ねじ６３６を締結して上記光束径の調整を終了させる。
【００７４】
［拡散反射装置の構成］
図１３は、光源装置用筐体８に固定された拡散反射装置７を−Ｚ方向側から見た斜視図であり、図１４は、拡散反射装置７を＋Ｚ方向側から見た斜視図であり、図１５は、拡散反射装置７の分解斜視図である。
反射板７１は、拡散反射層が光入射側に設けられた基板により構成され、図１３〜図１５に示すように、上記構成の他、反射板７１の＋Ｚ方向側の面に固定されるプロペラ状のフィン７１１を備える。このフィン７１１を設けることにより、反射板７１に冷却気体が循環し、反射板７１、ひいては、拡散反射層を冷却する。
回転装置７２の＋Ｚ方向側の面には、固定板７２１が設けられている。この固定板７２１は、後述する位置調整装置７３（連結部材７３１）が固定される部位であり、当該固定板７２１の略中央には、開口部７２１１が形成されている。この開口部７２１１には、回転装置７２が嵌め込まれている。
また、固定板７２１の開口部７２１１の外縁近傍には、３つのねじ孔７２１２が形成されている。このねじ孔７２１２には、後述する連結部材７３１を介してねじＳ２が挿通され、当該固定板７２１に固定される。
【００７５】
［位置調整装置の構成］
位置調整装置７３は、本発明の回転ホイールに相当する反射板７１及び回転装置７２をＺ方向に沿って移動させ、反射板７１に入射される光の光束径を調整する。この位置調整装置７３は、図１３〜図１５に示すように、連結部材７３１、固定筒体７３２、ピン７３３、側面部７３４、調整ねじ７３５、付勢部材ＳＰ、枠体７３６、固定ねじ７３７及び規制ねじ７３８を備える。
なお、固定筒体７３２、ピン７３３、側面部７３４、調整ねじ７３５、付勢部材ＳＰ、枠体７３６、固定ねじ７３７及び規制ねじ７３８は、本発明の位置調整部として機能する。
【００７６】
［連結部材の構成］
これらのうち、連結部材７３１は、反射板７１を回転駆動させる回転装置７２の固定板７２１と連結される部材である。この連結部材７３１は、本体部７３１１、中央板部７３１２、突出部７３１３、複数の貫通孔７３１４及び取付部７３１５と、を備える。
本体部７３１１は、略筒状に形成され、上記固定板７２１に対向して配置される。この筒状の本体部７３１１内部には、当該筒状の本体部７３１１を閉塞する中央板部７３１２が設けられている。この中央板部７３１２の略中央には、＋Ｚ方向に突出する突出部７３１３が形成されている。
突出部７３１３の略中央には、後述する調整ねじ７３５が螺合する螺合部７３１３１が形成されている。また、突出部７３１３の周囲には、３つの貫通孔７３１４が形成されている。この３つの貫通孔７３１４は、上記固定板７２１の３つのねじ孔７２１２に対応する位置に設けられ、当該３つの貫通孔７３１４をねじＳ２が挿通し、上記ねじ孔７２１２に螺合する。これにより、連結部材７３１が固定板７２１に固定される。
【００７７】
また、本体部７３１１は、後述する固定筒体７３２内部に配置され、当該固定筒体７３２内をＺ方向に沿って移動可能に支持される。また、本体部７３１１の径方向外側には、３つの取付部７３１５が形成されている。これら３つの取付部７３１５は、当該筒状の本体部７３１１を＋Ｚ方向に沿って見た場合に、２時の方向、６時の方向及び１０時の方向のそれぞれに形成されている。これら取付部７３１５には、後述するピン７３３が突設される。
【００７８】
［固定筒体の構成］
固定筒体７３２は、連結部材７３１をスライド可能に収容する部材である。この固定筒体７３２は、図１３〜図１５に示すように、筒状部７３２１及び枠部７３２２を備える。筒状部７３２１内には、上記連結部材７３１が挿通される。
また、固定筒体７３２（筒状部７３２１）の側面には、３つの第３ガイド孔７３２１１が形成されている。これら３つの第３ガイド孔７３２１１は、上記ピン７３３の移動をガイドする。これら第３ガイド孔７３２１１は、反射板７１に入射される光の入射方向（＋Ｚ方向に沿う方向）に延びる形状であり、当該第３ガイド孔７３２１１には、上記ピン７３３が挿通される。なお、これら第３ガイド孔７３２１１は、上記連結部材７３１の取付部７３１５に対応する位置に形成されている。
【００７９】
枠部７３２２は、当該筒状部７３２１の＋Ｚ方向側の端部から当該筒状部７３２１の径方向外側に広がるリング状の部位である。この枠部７３２２は、上記光源装置用筐体８外に配置される。このような枠部７３２２には、３つのねじ孔７３２２１及び２つのねじ孔７３２２２が形成されている。これらのうち、３つのねじ孔７３２２１は、枠部７３２２を＋Ｚ方向側から見た場合に、４時、８時、１２時の位置にそれぞれ設けられ、当該ねじ孔７３２２１には、後述する枠体７３６の貫通孔７３６１を介して固定ねじ７３７が螺合される。
また、２つのねじ孔７３２２２は、枠部７３２２を＋Ｚ方向側から見た場合に、３時及び９時の位置に設けられ、当該２つのねじ孔７３２２２には、規制ねじ７３８が螺合される。
【００８０】
［ピンの構成］
図１６は、拡散反射装置７を＋Ｙ方向側から見た平面図である。
ピン７３３は、図１３〜図１６に示すように、上記連結部材７３１に突設され、上記第３ガイド孔７３２１１にガイドされ、Ｚ方向に沿う方向に移動する部材である。すなわち、ピン７３３の移動に合わせて連結部材７３１が、当該ピン７３３の移動方向と同方向に移動する。
このようなピン７３３は、軸受部７３３１、当接部７３３２及びねじ７３３３を有する。なお、これら軸受部７３３１、当接部７３３２及びねじ７３３３は、上記軸受部６３４１、当接部６３４２及びねじ６３４３と同形状であるため説明を省略する。このような構成によりピン７３３が第３ガイド孔７３２１１にガイドされることにより、連結部材７３１、ひいては、反射板７１がＺ方向に沿って移動する。
【００８１】
［側面部の構成］
図１７は、拡散反射装置７を図１６のＢ１−Ｂ１線にて切断した断面を−Ｘ方向から見た断面図である。
側面部７３４は、図１３〜１５及び図１７に示すように、円形状に形成された板状部材であり、固定筒体７３２の＋Ｚ方向側に位置する部位である。具体的に、側面部７３４は、固定筒体７３２の枠部７３２２の＋Ｚ方向側の面に支持される。
この側面部７３４は、略中央部分に貫通孔７３４１を備える。この貫通孔７３４１には、後述する調整ねじ７３５が挿通され、上記連結部材７３１の突出部７３１３の螺合部７３１３１に螺合する。
なお、側面部７３４の−Ｚ方向側の面７３４２には、後述する調整ねじ７３５の軸部７３５２に取り付けられるナット７３５Ａ及び付勢部材ＳＰが当接する。
【００８２】
［調整ねじの構成］
調整ねじ７３５は、上記側面部７３４の貫通孔７３４１を挿通し、連結部材７３１の突出部７３１３における螺合部７３１３１に螺合する。すなわち、調整ねじ７３５は、当該調整ねじ７３５の回動により連結部材７３１をＺ方向に沿って移動させる機能を有する。この調整ねじ７３５は、図１３〜図１７に示すように、頭部７３５１、軸部７３５２及びナット７３５Ａを備える。
これらのうち、頭部７３５１は、側面部７３４の＋Ｚ方向側の面に当接する部位である。この頭部７３５１には、図１５に示すように、切欠７３５１１が形成され、当該切欠７３５１１に所定の治具を装着し回動させると、調整ねじ７３５が回動する。
軸部７３５２は、頭部７３５１から−Ｚ方向に延出し、かつ、ねじ溝が形成された部位であり、連結部材７３１の突出部７３１３の螺合部７３１３１に螺合する。この軸部７３５２には、ナット７３５Ａが嵌め込まれる。すなわち、図１７に示すように、側面部７３４の＋Ｚ方向側に頭部７３５１が位置し、当該側面部７３４の−Ｚ方向側にナット７３５Ａが位置し、それぞれ側面部７３４の上記面に当接している。このような構成により、調整ねじ７３５のがたつきを抑制している。
【００８３】
［付勢部材の構成］
付勢部材ＳＰは、連結部材７３１と側面部７３４との間に配置され、連結部材７３１を調整ねじ７３５の挿入方向（−Ｚ方向）に付勢する部材である。この付勢部材ＳＰは、例えば、コイルばね等により構成され、図１７に示すように、中央板部７３１２の＋Ｚ方向側の面と、側面部７３４の−Ｚ方向側の面７３４２に当接し、側面部７３４を−Ｚ方向に付勢する。
このような付勢部材ＳＰは、突出部７３１３の周囲を囲むように上記中央板部７３１２に配置され、当該付勢部材ＳＰの中央に調整ねじ７３５の軸部７３５２が挿通する。換言すると、付勢部材ＳＰは、調整ねじ７３５の軸部７３５２を囲むように配置されている。これによれば、調整ねじ７３５の軸部７３５２に形成されたねじ溝と、突出部７３１３の螺合部７３１３１との間に生じるわずかな隙間から生じる調整ねじ７３５のがたつきを抑制する。
【００８４】
［枠体の構成］
枠体７３６は、側面部７３４の＋Ｚ方向側に位置する部材である。この枠体７３６は、略円形状に形成された金属板である。このような枠体７３６は、図１３〜図１７に示すように、開口部７３６０、３つの貫通孔７３６１及び２つの凹部７３６２を有する。
開口部７３６０は、枠体７３６の略中央に設けられた開口部であり、当該開口部７３６０を介して調整ねじ７３５の調整が可能となっている。
また、枠体７３６の開口部７３６０より外側には、３つの貫通孔７３６１が形成されている。この貫通孔７３６１には、固定ねじ７３７が挿通され、側面部７３４を挟持するように固定筒体７３２の枠部７３２２に形成されたねじ孔７３２２１に螺合する。これにより、枠体７３６が固定筒体７３２に固定される。
【００８５】
２つの凹部７３６２は、枠体７３６の＋Ｘ方向側の端部及び−Ｘ方向側の端部に設けられている。これら凹部７３６２は、固定ねじ７３７（固定ねじ７３７に取り付けられるワッシャー７３８１）の直径より若干大きな寸法の凹部である。このため、枠体７３６が固定筒体７３２に固定された後に、固定ねじ７３７を枠部７３２２のねじ孔７３２２２に螺合させた場合でも、当該固定ねじ７３７が枠体７３６には、当接しない。
【００８６】
［規制ねじの構成］
図１８は、拡散反射装置７を＋Ｚ方向側から見た平面図である。
規制ねじ７３８は、側面部７３４を固定筒体７３２の枠部７３２２に対して押下し、当該側面部７３４の回動を規制する部材である。この規制ねじ７３８の軸部には、ワッシャー７３８１が挿通される。この規制ねじ７３８は、図１８に示すように、枠部７３２２のねじ孔７３２２２に螺合する。この際、規制ねじ７３８に挿通されたワッシャー７３８１は、側面部７３４の縁部近傍に当接する。すなわち、側面部７３４の＋Ｘ方向側の縁部及び−Ｘ方向側の縁部がワッシャー７３８１により枠部７３２２に対して押圧され、回動が規制される。これにより、調整ねじ７３５が＋Ｋ２方向及び当該＋Ｋ２方向とは反対方向（以下、−Ｋ２方向という。）に回動された場合であっても、当該調整ねじ７３５の回動に合わせて回動しない。
【００８７】
［反射板の位置調整方法］
図１９は、拡散反射装置７を−Ｘ方向側から見た側面図である。
拡散反射装置７の反射板７１に入射される光の光束径は、位置調整装置７３の操作により調整される。まず、ユーザーは、位置調整装置７３の調整ねじ７３５を所定の治具を用いて、＋Ｋ２方向に移動させる。このように、調整ねじ７３５が＋Ｋ２方向に回動されると、調整ねじ７３５の軸部７３５２が＋Ｋ２方向に回動する。
ここで、軸部７３５２が＋Ｋ２方向に回動した場合であっても、ピン７３３は、固定筒体７３２の第３ガイド孔７３２１１により、当該＋Ｋ２方向への移動が規制されているので、ピン７３３は、＋Ｋ２方向には移動しない。このため、ピン７３３が突設された連結部材７３１も＋Ｋ２方向には移動しないので、上記調整ねじ７３５の軸部７３５２の回動により、突出部７３１３の螺合部７３１３１への螺合量が増加する。
これにより、ピン７３３が突設された連結部材７３１が第３ガイド孔７３２１１に沿って、図１９に示す＋Ｔ２方向、すなわち、＋Ｚ方向に移動するので、当該連結部材７３１が固定された固定板７２１、ひいては、反射板７１が＋Ｚ方向に移動する。従って、調整ねじ７３５を＋Ｋ２方向に回動させることにより、反射板７１が第２ピックアップ光学装置５８から離間し、当該反射板７１に入射される光の光束径が小さくなる。
【００８８】
一方、ユーザーが位置調整装置７３の調整ねじ７３５を＋Ｋ２方向とは反対方向（以下、−Ｋ２方向という。）に回動させると、調整ねじ７３５の軸部７３５２が−Ｋ２方向に回動する。
ここで、軸部７３５２が−Ｋ２方向に回動した場合であっても、ピン７３３は、固定筒体７３２の第３ガイド孔７３２１１により、当該−Ｋ１方向への移動が規制されているので、ピン７３３は、−Ｋ２方向には移動しない。このため、ピン７３３が突設された連結部材７３１も−Ｋ２方向には移動しないので、上記調整ねじ７３５の軸部７３５２の回動により、突出部７３１３の螺合部７３１３１への螺合量が減少する。
これにより、ピン７３３が突設された連結部材７３１が第３ガイド孔７３２１１に沿って、図１９に示す＋Ｔ２方向とは反対方向（以下、−Ｔ２方向という。）、すなわち、−Ｚ方向に移動するので、当該連結部材７３１が固定された固定板７２１、ひいては、反射板７１が−Ｚ方向に移動する。従って、調整ねじ７３５を−Ｋ２方向に回動させることにより、反射板７１が第２ピックアップ光学装置５８に近接し、当該反射板７１に入射される光の光束径が大きくなる。そして、上記光束径の調整を終了させる。
【００８９】
［実施形態の効果］
以上説明した本実施形態に係るプロジェクター１は、以下の効果を奏する。
波長変換素子６１及び反射板７１を有する回転装置６２，７２に連結される連結部材６３１，７３１の位置調整を行う位置調整装置６３，７３が、当該連結部材６３１，７３１の位置を再調整可能に構成されているので、例えば、上記位置調整装置により連結部材６３１，７３１の位置が調整された後に、接着剤等により固定される場合に比べて、リユース性及びリワーク性を向上できる。
【００９０】
回転筒体６３３が回動した場合であっても、連結部材６３１に突設されたピン６３４が固定筒体６３２の第１ガイド孔６３２１２により、当該ピン６３４の第２ガイド孔６３３１１に沿う方向への移動が規制されている。このため、ピン６３４は、波長変換素子６１に入射される光の入射方向（Ｘ方向に沿う方向）に沿って延びる第１ガイド孔６３２１２の延出方向に沿って移動する。これにより、ピン６３４が突設された連結部材６３１がＸ方向に沿って移動するので、当該連結部材６３１に連結された回転装置６２、ひいては、回転装置６２及び波長変換素子６１を上記Ｘ方向に沿って移動させることができる。これにより、波長変換素子６１に入射される光の光束径を調整できる。
【００９１】
また、第１ねじ６３７が連結部材６３１の端部に設けられた突出部６３１３を囲み、固定筒体６３２の螺合部６３２３に螺合し、当該第１ねじ６３７の先端（当接部６３７３）が連結部材６３１に当接しているので、当該第１ねじ６３７により連結部材６３１を付勢しつつ、当該連結部材６３１及び固定筒体６３２を強固に固定できる。更に、第２ねじ６３８が固定筒体６３２を貫通して突出部６３１３の螺合部６３１３１に螺合しているので、連結部材６３１を固定筒体６３２側に付勢できる。
これによれば、第１ねじ６３７が連結部材６３１を波長変換素子６１側に付勢し、第２ねじ６３８が連結部材６３１を固定筒体６３２側に付勢するので、連結部材６３１及び固定筒体６３２を強固に固定できる。従って、固定筒体６３２及び連結部材６３１間にて発生するがたつきを抑制できる。また、これら第１ねじ６３７及び第２ねじ６３８により固定筒体６３２及び連結部材６３１が固定されるので、位置調整装置６３により連結部材６３１の位置が調整された後に、当該連結部材６３１及び固定筒体６３２が接着剤等により固定される場合に比べて、リユース性及びリワーク性をより向上できる。
【００９２】
回転筒体６３３が当該回転筒体６３３を回転させるレバーとして機能する延出部６３３２及び把持部６３５を有しているので、ユーザーは当該把持部６３５を操作することにより、容易に回転筒体６３３を回転させることができる。従って、連結部材６３１、ひいては、連結部材６３１が連結される波長変換素子６１及び回転装置６２の位置を容易に調整できる。
【００９３】
固定筒体６３２の径方向外側に広がる拡径部６３２２に形成された第１開口部６３２２１にレバーの一部である把持部６３５が挿通されているので、レバー（把持部６３５）の回動範囲が第１開口部６３２２１の範囲に限定できる。従って、適切な範囲で波長変換素子６１の位置を調整できる。
【００９４】
レバーとして機能する把持部６３５の移動を規制する規制部として、固定ねじ６３６を備えているので、波長変換素子６１の位置調整が実行された後に、当該レバー（把持部６３５）の移動を規制できる。従って、調整された波長変換素子６１の位置を良好に保つことができる。
【００９５】
第１ねじ６３７及び第２ねじ６３８が同軸上に設けられているので、第１ねじ６３７及び第２ねじ６３８が離れた位置に配置されている場合に比べて、連結部材６３１及び固定筒体６３２を確実に固定することができる。
また、第２ねじ６３８が第１ねじ６３７を覆う形状であることから、第１ねじ６３７が誤って回動させられる可能性を低減できる。更に、第１ねじ６３７に塵埃が付着する可能性を低減できる。
【００９６】
位置調整装置７３の調整ねじ７３５（軸部７３５２）が回動した場合であっても、ピン７３３は、固定筒体７３２の第３ガイド孔７３２１１により、当該調整ねじ７３５の回動方向への移動が規制されているので、ピン７３３は、当該回動方向には移動しない。このため、ピン７３３が突設された連結部材７３１も当該方向には移動しないので、上記調整ねじ７３５の軸部７３５２の回動により、連結部材７３１の突出部７３１３に形成された螺合部７３１３１への螺合量が変化する。
このように、ピン７３３が突設された連結部材７３１が反射板７１に入射される光の入射方向に延びる第３ガイド孔７３２１１に沿って移動するので、当該連結部材７３１に連結された回転装置７２及び反射板７１を上記入射方向に沿って移動させることができる。これにより、反射板７１に入射される光の光束径を調整できる。
【００９７】
また、付勢部材ＳＰが連結部材７３１と側面部７３４との間に配置され、当該連結部材７３１を調整ねじ７３５の挿入方向に付勢するので、連結部材７３１に螺合する調整ねじ７３５と、当該調整ねじ７３５が螺合する螺合部７３１３１との隙間により生じるがたつきを当該付勢部材ＳＰにより抑制できる。
更に、当該調整ねじ７３５により固定筒体７３２及び連結部材７３１が固定されるので、位置調整装置７３により連結部材７３１の位置が調整された後に、当該連結部材７３１及び固定筒体７３２が接着剤等により固定される場合に比べて、リユース性及びリワーク性をより向上できる。
加えて、付勢部材ＳＰがコイルばねにより構成され、当該付勢部材ＳＰが上記調整ねじ７３５を囲むように配置されているので、当該調整ねじ７３５と上記螺合部７３１３１との隙間により生じるがたつきを確実に当該付勢部材ＳＰにより抑制できる。
【００９８】
波長変換素子６１に入射される光の光束径を調整できるので、当該波長変換素子６１の蛍光体層６１２に入射され、波長が変換されて出射される蛍光の光束径を調整できる。
また、反射板７１の拡散反射層に入射され、拡散反射される光の光束径を調整できる。
【００９９】
光源部５１から出射された光が波長変換装置６及び拡散反射装置７に入射され、当該波長変換装置６及び拡散反射装置７から出射された光の光束径を調整できるので、光合成装置５５から所望の光束径の光を出射できる。また、波長変換装置６及び拡散反射装置７のそれぞれに設けられた位置調整装置６３，７３の一部が光源装置用筐体８外に露出しているので、波長変換素子６１及び反射板７１の位置を容易に調整できる。従って、光源装置５から出射される光の輝度及び当該光の光束径を容易に調整でき、ひいては、当該光源装置５から出射された光のホワイトバランスを調整できる。
また、光源装置５から光束径及びホワイトバランスの調整された光が出射されるので、プロジェクター１から出射される投射画像の輝度及び彩度を調整できる。従って、投射画像に色むらが発生することが抑制できる。
【０１００】
［実施形態の変形］
本発明は、上記実施形態に限定されるものではなく、本発明の目的を達成できる範囲での変形、改良等は本発明に含まれるものである。
上記実施形態では、回転筒体６３３は、レバーとして機能する延出部６３３２を備えることとした。しかしながら、これに限らず、例えば、回転筒体６３３は、延出部６３３２を備えなくてもよい。この場合、ユーザーは、回転筒体６３３を把持し、当該回転筒体６３３を回転させることで、連結部材６３１、ひいては、波長変換素子６１の位置調整を実行できる。
【０１０１】
上記実施形態では、固定筒体６３２は、拡径部６３２２及び当該拡径部６３２２に形成される第１開口部６３２２１を備えることとした。しかしながら、これに限らず、例えば、固定筒体６３２は、拡径部６３２２及び当該拡径部６３２２に形成される第１開口部６３２２１を備えていなくてもよい。この場合、ユーザーは、把持部６３５を第１開口部６３２２１により規制された所定の範囲外にまで移動させることができ、より連結部材６３１、ひいては、波長変換素子６１の移動距離を拡大できる。
【０１０２】
上記実施形態では、レバーとして機能する延出部６３３２及び把持部６３５の移動を規制する規制部として、固定ねじ６３６を備えることとした。しかしながら、これに限らず、例えば、規制部として固定ねじ６３６とは異なる規制部を備えるようにしてもよいし、規制部を備えなくてもよい。この場合であっても、第１ねじ６３７及び第２ねじ６３８の上記作用により、位置調整後の波長変換素子６１の位置を維持できる。
【０１０３】
上記実施形態では、第１ねじ６３７及び第２ねじ６３８は、同軸上に設けられることとした。しかしながら、これに限らず、例えば、第１ねじ６３７及び第２ねじ６３８は、同軸上に設けられなくてもよい。この場合であっても、上記実施形態と同様の効果を奏することができる。
また、第２ねじ６３８は、第１ねじ６３７を覆う形状であることとした。しかしながら、これに限らず、例えば、第２ねじ６３８は、第１ねじ６３７を覆う形状でなくてもよい。この場合であっても、第１ねじ６３７及び第２ねじ６３８が相互に作用するので、上記実施形態と同様の効果を奏することができる。
【０１０４】
上記実施形態では、波長変換装置６の位置調整装置６３は、第１ねじ６３７及び第２ねじ６３８が装着された後に、把持部６３５の操作により、波長変換素子６１の位置を移動させることとした。しかしながら、これに限らず、例えば、第１ねじ６３７は、上記把持部６３５の操作により所望の位置に波長変換素子６１が移動された後に、上記位置に装着されることとしてもよい。この場合、第１ねじ６３７を確実に上記面６３１２２に当接させることができるので、更に、連結部材６３１及び固定筒体６３２を強固に固定できる。従って、より確実に、がたつきの発生を抑制できる。
【０１０５】
上記実施形態では、付勢部材ＳＰは、コイルばねにより構成されていることとした。しかしながら、これに限らず、例えば、付勢部材ＳＰは、コイルばねにより構成されなくてもよい。また、コイルばねにより付勢部材ＳＰが構成されない場合には、調整ねじ７３５の周囲に付勢部材ＳＰが配置されなくてもよい。
【０１０６】
上記実施形態では、拡散反射装置７の位置調整装置７３は、規制ねじ７３８を備えることとした。しかしながら、これに限らず、例えば、位置調整装置７３は、規制ねじ７３８を備えなくてもよい。この場合、例えば、側面部７３４に代えて、当該側面部７３４と略同形状の頭部を備えた調整ねじを備えてもよい。これによれば、側面部７３４を備えなくても、上記実施形態と同様の効果を奏することができる。
【０１０７】
上記各実施形態では、光変調装置４４（４４Ｒ，４４Ｇ，４４Ｂ）を用いることとした。しかしながら、これに限らず、例えば、透過型の光変調装置４４（４４Ｒ，４４Ｇ，４４Ｂ）に代えて、反射型の光変調装置を用いてもよい。この場合、色分離装置３２を設けることなく、色合成装置４５により、色分離及び色合成を実行するようにしてもよい。
【０１０８】
上記実施形態では、プロジェクター１は、３つの光変調装置４４（４４Ｒ，４４Ｇ，４４Ｂ）を備えるとしたが、これに限らず、すなわち、２つ以下、あるいは、４つ以上の光変調装置を用いたプロジェクターにも、本発明を適用可能である。
また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。
【符号の説明】
【０１０９】
１…プロジェクター、４１…照明装置、４４…光変調装置、４６…投射光学装置、５…光源装置、５１…光源部（光源）、５５…光合成装置、５６…波長変換装置、６１…波長変換素子、６１１…基板（回転体ホイール）、６１２…蛍光体層（波長変換層）、６１３…反射層、６２…回転装置（駆動装置）、６３…位置調整装置、６３１…連結部材、６３１１…板状部、６３１１１…貫通孔、６３１２…延出部、６３１２１…取付部、６３１２２…面、６３１３…突出部、６３１３１…螺合部、６３２…固定筒体（位置調整部）、６３２１…筒状部、６３２１１…貫通孔、６３２１２…第１ガイド孔、６３２２…拡径部、６３２２１…第１開口部、６３２２２…第２開口部、６３２２３…第３開口部、６３２３…螺合部、６３３…回転筒体（位置調整部）、６３３１…本体部、６３３１１…第２ガイド孔、６３３２…延出部（レバー）、６３３２１…貫通孔、６３３２２…螺合孔、６３４…ピン（位置調整部）、６３４１…軸受部、６３４２…当接部、６３５…把持部（位置調整部・レバー）、６３６…固定ねじ（規制部）、６３６１…頭部、６３７…第１ねじ、６３７１…本体部、６３７２…螺合部、６３７３…当接部、６３７４…切欠、６３８…第２ねじ、６３８１…軸部、６３８２…頭部、６３８３…縁部、７…拡散反射装置、７１…反射板（回転ホイール）、７２…回転装置（駆動装置）、７２１…固定板、７２１１…開口部、７２１２…孔、７３…位置調整装置、７３１…連結部材、７３１１…本体部、７３１２…中央板部、７３１３…突出部、７３１３１…螺合部、７３１４…貫通孔、７３１５…取付部、７３２…固定筒体（位置調整部）、７３２１…筒状部、７３２１１…第３ガイド孔（ガイド孔）、７３２２…枠部、７３２２１…孔、７３２２２…孔、７３３…ピン（位置調整部）、７３３１…軸受部、７３４…側面部（位置調整部）、７３４１…貫通孔、７３４２…面、７３５…調整ねじ（位置調整部・ねじ）、７３５１…頭部、７３５１１…切欠、７３５２…軸部、７３５Ａ…ナット、７３６…枠体（位置調整部）、７３６０…開口部、７３６１…貫通孔、７３６２…凹部、７３７…固定ねじ（位置調整部）、７３８…規制ねじ（位置調整部）、７３８１…ワッシャー、８…光源装置用筐体（筐体）。
【図１】
0006716923.tif 000002
【図２】
0006716923.tif 000003
【図３】
0006716923.tif 000004
【図４】
0006716923.tif 000005
【図５】
0006716923.tif 000006
【図６】
0006716923.tif 000007
【図７】
0006716923.tif 000008
【図８】
0006716923.tif 000009
【図９】
0006716923.tif 000010
【図１０】
0006716923.tif 000011
【図１１】
0006716923.tif 000012
【図１２】
0006716923.tif 000013
【図１３】
0006716923.tif 000014
【図１４】
0006716923.tif 000015
【図１５】
0006716923.tif 000016
【図１６】
0006716923.tif 000017
【図１７】
0006716923.tif 000018
【図１８】
0006716923.tif 000019
【図１９】
0006716923.tif 000020